(57)【特許請求の範囲】
【請求項１】
手工具であって、
第一のハンドルと、
前記第一のハンドルの端部に枢動可能に連結された端部を有する第二のハンドルであって、前記第二のハンドルが前記第一のハンドルから離れる第一の位置と、前記第二のハンドルが前記第一のハンドルに近接する第二の位置との間で枢動する第二のハンドルと、
ロック機構であって、
ラッチであって、
ディスクと、
前記ディスクを貫通しかつ前記ディスクに固定され、前記ディスクと同軸のシャフトと、を備え、
前記第一のハンドルの前記端部に横方向に沿って枢動可能に配置され、第三の位置と第四の位置との間で切替え可能であるラッチと、
前記ラッチを前記第三の位置または前記第四の位置に保持するために、前記第一のハンドルの前記端部に配置されたリテーナと、を備えるロック機構と、を備え、
前記ラッチが前記第三の位置にある際、前記シャフトは前記第二のハンドルを前記第一の位置に止め、前記ラッチが前記第四の位置にある際、前記ディスクは前記第二のハンドルを前記第二の位置に止める、手工具。
【請求項２】
前記リテーナは、前記第一の位置と前記第二の位置との間の前記第二のハンドルの経路にはない、請求項１に記載の手工具。
【請求項３】
前記リテーナは、その中に形成された貫通孔および凹部を有するスリーブであり、前記ラッチは、前記凹部に移動可能に挿入され、前記凹部は、前記貫通孔と連通する、請求項２に記載の手工具。
【請求項４】
前記スリーブはポリウレタンで作られる、請求項３に記載の手工具。
【請求項５】
前記ラッチが前記第三の位置にある際、前記ディスクは前記凹部内にあり、前記ラッチが前記第四の位置にある際、前記ディスクは前記凹部から前記横方向に部分的に突出する、請求項３に記載の手工具。
【請求項６】
前記第一のハンドルの前記端部は、第一のプレート、および前記第一のプレートに対向する第二のプレートを備え、前記第二のハンドルの前記端部は、第三のプレート、および前記第三のプレートに対向する第四のプレートを備え、
前記第二のハンドルの前記端部の前記第三のプレートおよび前記第四のプレートは、前記第一のハンドルの前記端部の前記第一のプレートと前記第二のプレートとの間に挟まれ、前記スリーブの一部は、前記第二のハンドルの前記端部の前記第三のプレートと前記第四のプレートとの間に挟まれる、請求項３に記載の手工具。
【請求項７】
コネクタを加工するためのヘッドをさらに備え、前記ヘッドは、第五のプレート、および前記第五のプレートに対向する第六のプレートを備え、前記ヘッドの前記第五のプレートおよび前記第六のプレートは、前記第一のハンドルの前記端部の前記第一のプレートと前記第二のプレートとの間に挟まれ、前記スリーブの一部は、前記ヘッドの前記第五のプレートと前記第六のプレートとの間に挟まれる、請求項６に記載の手工具。
【請求項８】
前記スリーブの前記横方向に沿った長さは、前記ヘッドの前記第五のプレートと前記第六のプレートとの間の距離とほぼ同じである、請求項７に記載の手工具。
【請求項９】
前記ラッチが前記第三の位置にある際、前記シャフトは前記第二のハンドルの前記第三のプレートおよび前記第四のプレートの一つを前記第一の位置に止め、前記ラッチが前記第四の位置にある際、前記ディスクは前記第二のハンドルの前記第三のプレートおよび前記第四のプレートの一つを前記第二の位置に止める、請求項６に記載の手工具。
【請求項１０】
前記第二のハンドルが前記第一の位置にある際、前記第二のハンドルの前記第三のプレートおよび前記第四のプレートの前記一つは、前記ラッチが前記第三の位置から前記第四の位置へ向かって動くのを防ぐよう配置される、請求項９に記載の手工具。
【請求項１１】
前記第二のハンドルが前記第二の位置にある際、前記第二のハンドルの前記第三のプレートおよび前記第四のプレートの前記一つは、前記第三の位置と前記第四の位置との間の前記ラッチの移動経路にはない、請求項９に記載の手工具。
【請求項１２】
弾性素子が、前記第二のハンドルを前記第一の位置へ向かって付勢するために、前記第一のハンドルの前記端部と前記第二のハンドルの前記端部のピボットに配置される、請求項１に記載の手工具。
【発明の詳細な説明】
【関連出願への相互参照】
【０００１】
本発明は、２０１５年１０月１３日出願の台湾出願番号１０４１３３５７３“ロック機構およびこれを備えるプライヤ”の優先権の利益を主張し、その内容は、本明細書に参照として組み込まれる。
【技術分野】
【０００２】
本発明は、手工具のロック機構に関し、特に、二つのハンドルを有するプライヤまたは圧着工具に関する。
【背景技術】
【０００３】
プライヤおよび圧着工具は、物品を加工するためによく使われる。圧着工具は、絶縁ワイヤおよびそのコネクタを屈曲、せん断、剥離、および圧着することができる。これらのコネクタは、ＲＪ−４５コネクタ、８Ｐ８Ｃモジュールコネクタとして規格化されたコネクタ、およびＲＪ−１１コネクタ、電話接続用コネクタ等を含む。圧着工具は通常、操作時にユーザによって握られる二つのハンドルを含む。概して、圧着工具が収縮位置にある際は、二つのハンドルは互いに当接または近接し、圧着工具が拡張位置にある際は、二つのハンドルは互いから離れる。省力器具として、いくつかの圧着工具は、ハンドルが拡張位置に促されがちになるよう、一方のハンドルを他方に対して付勢するスプリングなどの付勢機構を含む。よってユーザは、圧着工具を使う際、ハンドルを拡張位置から収縮位置に動かしさえすればよく、付勢機構がハンドルを拡張位置に戻す。
【０００４】
圧着工具またはプライヤは、ハンドルが収縮されて互いに近くなる際、最少のスペースを占める。したがって、圧着工具またはプライヤが使用されず保管される際は、そのハンドルはまず収縮され、固定されるべきである。ハンドルが収縮位置を離れるのを防ぐために、台湾特許番号I３６３６７６に記載されたような、一方のハンドルの端部に、他方のハンドルの端部のノブと係合されるスナップリングを備えることで、二つのハンドルが、保管のために収縮された後に固定できるプライヤが提供される。しかしながら、スナップリングおよびノブはプライヤの外側に配置され、追加のスペースを占めるだけでなく、ケガの原因にもなりうる。
【０００５】
上記のことから、追加のスペースを占めず、ユーザにとって安全な、二つのハンドルを有するプライヤまたは圧着工具などの手工具のロック機構が必要となる。
【発明の概要】
【０００６】
本発明の一実施形態では、手工具のロック機構が提供され、ロック機構はラッチおよびラッチを保持するためのリテーナを備える。ラッチは、ディスクおよびディスクを貫通するシャフトを備え、シャフトの中間部はディスクの中心に固定される。シャフトはディスクと同軸であり、それらは安定して共に回転する。
【０００７】
本発明の他の実施形態では、手工具が提供され、手工具は、第一のハンドルと、第二のハンドルと、ロック機構とを備える。第二のハンドルは、第一のハンドルの端部に枢動可能に連結された端部を有し、第二のハンドルは、第二のハンドルが第一のハンドルから離れる第一の位置と、第二のハンドルが第一のハンドルに近接する第二の位置との間で枢動する。ロック機構は、ラッチとリテーナとを備える。ラッチは、ディスクと、ディスクを貫通しかつディスクに固定されるシャフトとを備える。シャフトはディスクと同軸である。ラッチは、第一のハンドルの端部に横方向に沿って枢動可能に配置され、第三の位置と第四の位置との間で切替え可能である。リテーナは、ラッチを第三の位置または第四の位置に保持するために、第一のハンドルの端部に配置される。ラッチが第三の位置にある際、ラッチのシャフトは第二のハンドルを第一の位置に止め、ラッチが第四の位置にある際、ラッチのディスクは第二のハンドルを第二の位置に止める。
【図面の簡単な説明】
【０００８】
【図１Ａ】拡張位置にある、本発明の一実施形態の圧着工具のハンドルを示す模式図。
【図１Ｂ】収縮状態にある、図１Ａの圧着工具のハンドルを示す模式図。
【図２Ａ】図１Ａの圧着工具の左側の模式的な構造図。
【図２Ｂ】図１Ｂの圧着工具の左側の模式的な構造図。
【図３Ａ】ラッチおよびリテーナが組み立てられた、図１Ａの実施形態のロック機構を示す模式図。
【図３Ｂ】ラッチがリテーナから取り外された、図１Ａの実施形態のロック機構を示す模式図。
【発明を実施するための形態】
【０００９】
本発明の特性、主題、利点、および効果が、本発明の実施形態および付属の図面を参照して以下に詳細に説明される。以下の説明において参照される図面は、単に説明目的であり、必ずしも実施形態の実際の比率および正確な構成を示すものではないことが理解される。よって、図面に示される比率および構成は、本発明の範囲を限定または制限すると見なされるべきではない。
【００１０】
図１Ａおよび１Ｂを参照されたい。図１Ａは、拡張位置にある、本発明の一実施形態の圧着工具１００のハンドル１１０、１２０を示し、図１Ｂは、収縮位置にある、本実施形態の圧着工具１００のハンドル１１０、１２０を示す。図１Ａおよび１Ｂに示すように、圧着工具１００は、第一のハンドル１１０、第二のハンドル１２０、およびロック機構１３０を備える。第二のハンドル１２０は、第一のハンドル１２０の端部１１２に枢動可能に連結された端部１２２を有し、第二のハンドル１２０は、第二のハンドル１２０が第一のハンドル１１０から離れる（図１Ａに示す）第一の位置（Ｐ１）と、第二のハンドル１２０が第一のハンドル１１０に近接する（図１Ｂに示す）第二の位置（Ｐ２）との間の回転経路（Ｒ）に沿って枢動する。図２Ａおよび２Ｂに示すように、スプリング（Ｓ）である付勢素子が、第一のハンドル１１０の端部１１２と第二のハンドル１２０の端部１２２のピボットに設けられる。二つのハンドルが互いに向かって動かされると（例えばユーザの手によって握られると）、スプリング（Ｓ）は、第二のハンドル１２０が回転経路（Ｒ）に沿って第一の位置（Ｐ）に向かって動きがちになるよう、第二のハンドル１２０を付勢する。圧着工具１００のヘッド１５０は、絶縁ワイヤのコネクタを圧着するための圧着素子１５２を備える。第二のハンドル１２０が第一の位置Ｐ１から経路（Ｒ）に沿って第二の位置（Ｐ２）へと動くよう押圧されると、圧着素子１５２は第二のハンドル１２０によって間接的に作動され、図１Ｂに示すように上下方向（Ｌ１）に沿って圧着位置へと上方に動き、コネクタを圧着する。
【００１１】
図２Ａおよび図２Ｂに示すように、第一のハンドル１１０の端部１１２は、第一のプレート１１２ａ、および第一のプレート１１２ａに対向する第二のプレート１１２ｂを備える。第二のハンドル１２０の端部１２２は、第三のプレート１２２ａ、および第三のプレート１２２ａに対向する第四のプレート１２２ｂを備え、第二のハンドル１２０の端部１２２の第三のプレート１２２ａおよび第四のプレート１２２ｂは、第一のハンドル１１０の端部１１２の第一のプレート１１２ａと第二のプレート１１２ｂとの間に挟まれ、かつそれらに枢動可能に連結される。ヘッド１５０は、第五のプレート１５０ａ、および第五のプレート１５０ａに対向する第六のプレート１５０ｂを備える。ヘッド１５０の第五のプレート１５０ａおよび第六のプレート１５０ｂは、第一のハンドル１１０の端部の第一のプレート１１２ａと第二のプレート１１２ｂとの間に挟まれ、かつそれらに固定される。図２Ａおよび２Ｂに示すように、ヘッド１５０の第五のプレート１５０ａおよび第六のプレート１５０ｂは、それぞれ第二のハンドル１２０の端部１２２の第三のプレート１２２ａおよび第四のプレート１２２ｂと、垂直方向（Ｌ１）を横断する方向（Ｌ２）において、ほぼ整列する。このように、第二のハンドル１２０が押圧されて、回転経路（Ｒ）に沿って第一のハンドル１１０へ向かって第二の位置（Ｐ２）へと動くと、第二のハンドル１２０の端部１２２の第三のプレート１２２ａおよび第四のプレート１２２ｂの構成は、第三のプレート１２２ａおよび第四のプレート１２２ｂの上周面を、ヘッド１５０の第五のプレート１５０ａおよび第六のプレート１５０ｂの下周面に当接させることで、第二のハンドル１２０は、第一のハンドル１１０に向かってさらに動くことおよび第一のハンドル１１０に当接することを止められる。
【００１２】
図３Ａは、本発明の一実施形態のロック機構１３０の斜視図を示す。図３Ｂは、ロック機構１３０の分解組立図を示す。図３Ａおよび３Ｂに示すように、ロック機構１３０は、ラッチ１３１およびリテーナ１４０を備える。ラッチ１３１は、ディスク１３４、およびディスク１３４を貫通するシャフト１３２を備え、シャフト１３２の中間部の周りの領域は、ディスク１３４の中心に固定される。シャフト１３２は、ディスク１３４と同軸である。好ましくは、シャフト１３２は、ディスク１３４と一体に形成される。リテーナ１４０は、その中に形成された貫通孔１４０ａおよび凹部１４０ｂを有するスリーブである。ラッチ１３１は、凹部１４０ｂに移動可能に挿入され、凹部１４０ｂは、貫通孔１４０ａと連通する。スリーブは、好ましくはポリウレタンである弾性材で作られる。シャフト１３２の直径は、ディスク１３４の直径よりも小さい。
【００１３】
図２Ａおよび２Ｂに示すように、ラッチ１３１は、横方向（Ｌ２）に沿って、第一のハンドル１１０の端部１１２に枢動可能に設けられる。具体的には、ラッチ１３１のシャフト１３２が、第一のハンドル１１０の端部１１２の第一のプレート１１２ａおよび第二のプレート１１２ｂで、その二つの端部をそれぞれ枢動可能に支持される。ラッチ１３１は、横方向（Ｌ２）に沿って軸方向に移動可能であり、よって、第二のハンドル１２０を第一の位置（Ｐ１）または第二の位置（Ｐ２）に止めるよう、第三の位置（図２Ａに示す）と第四の位置（図２Ｂに示す）との間で切り替え可能である。ラッチ１３１が図２Ａに示すように第三の位置にある際は、ディスク１３４は凹部１４０ｂ内にあり、シャフト１３２の一端は、第一のハンドル１１０の第一のプレート１１２ａの側面から突出する。ラッチ１３１が図２Ｂに示すように第四の位置にある際は、ディスク１３４は凹部１４０ｂから横方向（Ｌ２）に沿って少なくとも部分的に突出し、シャフト１３２の他端は、第一のハンドル１１０の第二のプレート１１２ｂの側面から突出する。
【００１４】
ラッチ１３１が第三の位置にある際は、第二のハンドル１２０は、第一の位置（Ｐ１）と第二の位置（Ｐ２）との間で、回転経路（Ｒ）に沿って枢動可能である。この状況では、図１Ａおよび２Ａに示すように、第二のハンドル１２０にかかる外力がなければ、スプリング（Ｓ）は第二のハンドル１２０を、第一のハンドル１１０から離れるように動くよう付勢し、ラッチ１３１のシャフト１３２は、第二のハンドル１２０を第一の位置（Ｐ１）に止める。図１Ｂおよび図２Ｂに示すように、第二のハンドル１２０が押圧されて第一のハンドル１１０に向かって第二の位置（Ｐ２）へと動くと、ラッチ１３１は第三の位置から横方向（Ｌ２）に沿って第四の位置へと動かされ、ラッチ１３１のディスク１３４は第二のハンドル１２０を第二の位置（Ｐ２）に止める。この状況では、第二のハンドル１２０は第二の位置（Ｐ２）に固定され、圧着工具１００は最少のスペースを占め、これは保管に便利である。このことから、ラッチ１３１をその第三の位置と第四の位置との間で切り替えることによって、ユーザは第二のハンドル１２０を、第一の位置（Ｐ１）または第二の位置（Ｐ２）に止めることができる。
【００１５】
本実施形態のリテーナ１４０は、第一の位置（Ｐ１）と第二の位置（Ｐ２）との間の、第二のハンドル１２０の回転経路（Ｒ）に位置しないよう配置される。本発明の一実施形態では、リテーナ１４０は、好ましくはポリウレタンである弾性材で作られるスリーブである。スリーブの少なくとも一部は、第二のハンドル１２０の端部１２２の第三のプレート１２２ａと第四のプレート１２２ｂとの間に挟まれる。横方向（Ｌ２）に沿ったスリーブの長さは、第二のハンドル１２０の端部１２２の第三のプレート１２２ａと第四のプレート１２２ｂとの間の距離とほぼ同じである。本発明の他の実施形態では、スリーブの少なくとも一部は、ヘッド１５０の第五のプレート１５０ａと第六のプレート１５０ｂとの間に挟まれる。その場合、横方向（Ｌ２）に沿ったスリーブの長さは、ヘッド１５０の第五のプレート１５０ａと第六のプレート１５０ｂとの間の距離とほぼ同じである。代替の実施形態では、スリーブの一方の部分は、第二のハンドル１２０の端部１２２の第三のプレート１２２ａと第四のプレート１２２ｂとの間に挟まれ、スリーブの他方の部分は、ヘッド１５０の第五のプレート１５０ａと第六のプレート１５０ｂとの間に挟まれる。
【００１６】
本発明の一実施形態では、リテーナ１４０は、その中に形成された貫通孔１４０ａおよび凹部１４０ｂを有するスリーブである。ラッチ１３１は、貫通孔１４０ａと連通する凹部１４０ｂに移動可能に挿入される。シャフト１３２は、スリーブ１４０の貫通孔１４０ａを、その一端が貫通する。シャフト１３２の二つの端部は、第一のハンドル１１０の端部１１２で枢動可能に支持される。ラッチ１３１が第三の位置に配置されると、ラッチ１３１は凹部１４０ｂ内に受容され、ラッチ１３１のディスク１３４の露呈した側面は、スリーブ１４０の側面とほぼ同一面上になる。ラッチ１３１が押圧されて横方向（Ｌ２）に沿って第三の位置から第四の位置へと動くと、ディスク１３４は凹部１４０ｂから動き、そこから少なくとも部分的に突出する。
【００１７】
このように、ラッチ１３４が凹部１４０ｂに受容される際（すなわち第三の位置にある際）、シャフト１３２は第二のハンドル１２０の回転経路（Ｒ）にある。圧着工具１００のハンドル１１０、１２０が握られないと、第二のハンドル１２０はスプリング（Ｓ）によって付勢され、第一のハンドル１１０から離れるように動き、第二のハンドル１２０の端部１２２の第三のプレート１２２ａまたは第四のプレート１２２ｂの少なくとも一つの構成は、第三のプレート１２２ａまたは第四のプレート１２２ｂの上周面の少なくとも一つを、シャフト１３２に当接させて、第二のハンドル１２０を第一の位置（Ｐ１）に止める。図面に示した実施形態では、第三のプレート１２２ａおよび第四のプレート１２２ｂの上周面の両方が、シャフト１３２の側部に当接する。
【００１８】
図２Ａに示すように、第三のプレート１２２ａおよび第四のプレート１２２ｂの上周面が、シャフト１３２に当接すると（すなわち第二のハンドルが第一の位置（Ｐ１）にあると）と、ディスク１３４の直径が、第四のプレート１２２ｂによって当接されたシャフト１３２の直径よりも大きいため、第四のプレート１２２ｂの上部は、横方向（Ｌ２）においてディスク１３４のそばに位置しかつディスク１３４に重なって、ラッチ１３４が横方向（Ｌ２）に沿って第三の位置から第四の位置へと動くのを防ぐ。この状況では、第二のハンドル１２０は、第一の位置（Ｐ１）と第二の位置（Ｐ２）との間を回転経路（Ｒ）に沿って自在に枢動し、圧着工具１００はロックされない。代替の実施形態では、シャフト１３２に当接するのは第三のプレート１２２ａおよび第四のプレート１２２ｂの一つのみの上周面であり、ラッチ１３４が外側に動くのを防ぐのは第三のプレート１２２ａでありうる。
【００１９】
第二のハンドル１２０が、第一の位置（Ｐ１）から第二の位置（Ｐ２）に向かって徐々に動くよう押圧されると、第四のプレート１２２ｂの上部とラッチ１３１のディスク１３４との重複領域は、徐々に減少する。第二のハンドル１２０が、図１Ｂおよび２Ｂに示すように第二の位置（Ｐ２）に達すると、第四のプレート１２２ｂの上部は、横方向（Ｌ２）においてラッチ１３１のディスク１３４に重ならず、ユーザは、ラッチ１３１が第三の位置（図２Ａに示す）から第四の位置（図２Ｂに示す）に動くよう、ラッチ１３１のシャフト１３２を押圧することができる。このように、ディスク１３４は、凹部１４０ｂから横方向（Ｌ２）に沿って動き、凹部１４０ｂから第二のハンドル１２０の回転経路（Ｒ）に、少なくとも部分的に突出する。ユーザが第二のハンドル１２０を握った圧力を解放すると、第四のプレート１２２ｂの周面は、スプリング（Ｓ）によって、ディスク１３４の周面に当接するよう促されることで、第二のハンドル１２０は第二の位置（Ｐ２）に止められ（ロックされ）、第一のハンドル１１０から離れて動けなくなる。
【００２０】
第二のハンドル１２０が第二の位置（Ｐ２）にあり、ラッチ１３１によってロックされると、圧着工具は最少のスペースを占める。これは保管モードと呼ばれる。また、第二のハンドル１２０が第二の位置（Ｐ２）にある際は、第四のプレート１２２ｂは、第三の位置と第四の位置との間のラッチ１３１の経路にない。ラッチ１３１は、よって、第三の位置と第四の位置との間で切替え可能である。ユーザが圧着工具１００を保管モードから稼働モードへと切り替えたい場合は、ユーザは、図２Ｂに示すように第一のハンドルの第二のプレート１１２ｂの側面から突出するラッチのシャフト１３２を押圧することによって、ディスク１３４がスリーブ１４０の凹部１４０ｂに後退するよう、単にラッチ１３１を第四の位置から第三の位置に動かすのみでよい。後退の後、第二のハンドル１２０は、回転経路（Ｒ）に沿って第一のハンドル１１０に向かって移動可能であり、第一の位置（Ｐ１）と第二の位置（Ｐ２）との間で自在に枢動可能である。
【００２１】
本発明の代替の実施形態では、凹部１４０ｂの開口は第一のハンドル１１０の第一のプレート１１２ａに面するよう配置され（図面の実施形態では、凹部１４０ｂは第二のプレート１１２ｂに面する）、ラッチ１３１が二つの位置の間で横方向（Ｌ２）に沿って切替可能であるかを制御するのは第三のプレート１２２ａになる。
【００２２】
本発明の一実施形態のロック機構１３０は、構造が単純であるが便利であり、基本的に二つの要素：ディスク１３４およびシャフト１３２を有するラッチ１３１、およびリテーナ１４０、を含む。さらに、ロック機構１３０は、概して圧着工具１００内に配置される。よって、追加のスペースを占めず、かつユーザを傷つけない。圧着工具に加えて、ロック機構１３０は、プライヤなどの、二つのハンドルを有する任意の適切な手工具に使うことができる。
【００２３】
前述の実施形態は、当業者がここに開示された内容に関する洞察を得て本発明を適宜に実施できるようにするため、本発明の技術概念および特徴を説明するものである。しかしながら、実施形態は本発明の範囲を制限することを意図するものではないことが理解される。ゆえに、開示された実施形態に、本発明の精神および原則から外れることなく為されたの全ての同等の変更または変形は、付属のクレームの範囲内に入るべきである。
【図１Ａ】
0006388895.tif 000002
【図１Ｂ】
0006388895.tif 000003
【図２Ａ】
0006388895.tif 000004
【図２Ｂ】
0006388895.tif 000005
【図３Ａ】
0006388895.tif 000006
【図３Ｂ】
0006388895.tif 000007